(57)【要約】      （修正有）【課題】各メモリモジュール上の複数の光源に非同期発光効果を発揮させ得る発光メモリデバイス及びメモリモジュールを提供する。【解決手段】発光制御回路１５０は、発光モード制御ピンＰ０〜Ｐ２を介して少なくとも１つの発光モード選択信号ＳＡ０〜ＳＡ２を受け取り、複数の光源１３０の発光特性を発光モード選択信号ＳＡ０〜ＳＡ２に対応する発光制御モードに従って制御する。【選択図】図１
2020194960.tif 000002
【特許請求の範囲】
【請求項１】
基本入出力システムモジュールと、
それぞれが前記基本入出力システムモジュールに接続された複数の発光モード制御線を備えた複数のインターフェイスカードスロットと、を備えたマザーボードと、
一側縁に延在し、前記インターフェイスカードスロットの１つに挿入されるように構成された挿入部を備えた回路基板と、
前記挿入部に設けられ、対応する前記発光モード制御線にそれぞれ連結された複数の発光モード制御ピンと、
前記回路基板上に配設された複数の光源と、
前記回路基板上に配設され、前記発光モード制御ピンを介して少なくとも１つの発光モード選択信号を受け取って、前記光源の発光特性を前記少なくとも１つの発光モード選択信号により選択された発光制御モードに従って制御する発光制御回路と、をそれぞれが備えた複数のメモリモジュールと、
を備えたことを特徴とする発光メモリデバイス。
【請求項２】
前記メモリモジュールのそれぞれの前記発光モード制御ピンが、ＳＡ０ピンと、ＳＡ１ピンと、ＳＡ２ピンとを含む、請求項１に記載の発光メモリデバイス。
【請求項３】
前記インターフェイスカードスロットのそれぞれがさらに、電力線と、クロック信号線と、データ信号線とを備え、前記クロック信号線及び前記データ信号線が前記基本入出力システムモジュールに接続され、前記メモリモジュールのそれぞれがさらに、
前記挿入部に配設され、それぞれ前記電力線、前記クロック信号線、及び前記データ信号線に電気的に接続されるように構成された電力ピン、クロックピン、及びデータピンと、
前記回路基板上に配設され、前記電力ピン及び前記電力線を介して前記インターフェイスカードスロットから入力電力を受け取り、前記入力電力を出力電力に変換する電力変換回路であって、前記発光制御回路が、前記電力変換回路から前記出力電力を受け取り、それぞれ前記クロックピン及び前記データピンを介して前記インターフェイスカードスロットからクロック信号及び制御コマンドを受け取り、前記発光制御回路がさらに、前記光源の前記発光特性を前記クロック信号及び前記制御コマンドに対応して選択された前記発光制御モードに従って制御する電力変換回路と、を備えた、請求項１に記載の発光メモリデバイス。
【請求項４】
前記メモリモジュールのそれぞれにおいて、前記発光制御回路が、前記光源の光度、ターンオン、ターンオフ、フリッカー周波数、及び発光色のうちの少なくとも１つを、前記クロック信号、前記制御コマンド、及び前記少なくとも１つの発光モード選択信号に対応する前記発光制御モードに従って制御する、請求項３に記載の発光メモリデバイス。
【請求項５】
前記発光制御回路のそれぞれが、
前記光源の光度、ターンオン、ターンオフ、及びフリッカー周波数を、前記クロック信号、前記制御コマンド、及び前記少なくとも１つの発光モード選択信号に従って制御する電力制御回路と、
前記光源の発光色を、前記クロック信号、前記制御コマンド、及び前記少なくとも１つの発光モード選択信号に従って制御する選択制御回路と、を含む、請求項３に記載の発光メモリデバイス。
【請求項６】
前記メモリモジュールのそれぞれにおいて、前記光源のそれぞれが、異なる色の複数の発光部を備え、前記発光部のそれぞれが、前記制御ピンの対応する制御ピンを介して前記発光制御回路に連結される、請求項１に記載の発光メモリデバイス。
【請求項７】
前記メモリモジュールのそれぞれにおいて、前記光源のそれぞれが、赤色、緑色、及び青色の発光部を備える、請求項６に記載の発光メモリデバイス。
【請求項８】
前記メモリモジュールの前記発光制御モードが厳密には同じではない、請求項１に記載の発光メモリデバイス。
【請求項９】
前記メモリモジュールのそれぞれにおいて、前記光源が、前記挿入部とは反対の前記回路基板の別の側縁に配設される、請求項１に記載の発光メモリデバイス。
【請求項１０】
前記メモリモジュールがＤＤＲメモリモジュールである、請求項１に記載の発光メモリデバイス。
【請求項１１】
マザーボードのインターフェイスカードスロットに挿入されるように適合されたメモリモジュールであって、前記マザーボードが基本入出力システムモジュールを備え、前記インターフェイスカードスロットが前記基本入出力システムモジュールに接続された複数の発光モード制御線を備え、前記メモリモジュールが、
一側縁に延在し、前記インターフェイスカードスロットに挿入されるように構成された挿入部を備えた回路基板と、
前記挿入部に配設され、それぞれ対応する前記発光モード制御線に連結された複数の発光モード制御ピンと、
前記回路基板上に配設された複数の光源と、
前記回路基板上に配設され、前記発光モード制御ピンを介して少なくとも１つの発光モード選択信号を受け取って、前記光源の発光特性を前記少なくとも１つの発光モード選択信号により選択された発光制御モードに従って制御する発光制御回路と、を備えたことを特徴とするメモリモジュール。
【請求項１２】
前記発光モード制御ピンが、ＳＡ０ピンと、ＳＡ１ピンと、ＳＡ２ピンとを含む、請求項１１に記載のメモリモジュール。
【請求項１３】
前記インターフェイスカードスロットがさらに、電力線と、クロック信号線と、データ信号線とを備え、前記クロック信号線及び前記データ信号線が、前記基本入出力システムモジュールに接続され、前記メモリモジュールがさらに、
前記挿入部に配設され、それぞれ前記電力線、前記クロック信号線、及び前記データ信号線に電気的に接続されるように構成された電力ピン、クロックピン、及びデータピンと、
前記回路基板上に配設され、前記電力ピン及び前記電力線を介して前記インターフェイスカードスロットから入力電力を受け取り、前記入力電力を出力電力に変換する電力変換回路であって、前記発光制御回路が、前記電力変換回路から前記出力電力を受け取り、それぞれ前記クロックピン及び前記データピンを介して前記インターフェイスカードスロットからクロック信号及び制御コマンドを受け取り、前記発光制御回路がさらに、前記光源の前記発光特性を、前記クロック信号及び前記制御コマンドに対応して選択された前記発光制御モードに従って制御する電力変換回路と、を備えた、請求項１１に記載のメモリモジュール。
【請求項１４】
前記発光制御回路が、前記光源の光度、ターンオン、ターンオフ、フリッカー周波数、及び発光色のうちの少なくとも１つを、前記クロック信号、前記制御コマンド、及び前記少なくとも１つの発光モード選択信号に対応する前記発光制御モードに従って制御する、請求項１３に記載のメモリモジュール。
【請求項１５】
前記発光制御回路が、
前記光源の光度、ターンオン、ターンオフ、及びフリッカー周波数を、前記クロック信号、前記制御コマンド、及び前記少なくとも１つの発光モード選択信号に従って制御する電力制御回路と、
前記光源の発光色を、前記クロック信号、前記制御コマンド、及び前記少なくとも１つの発光モード選択信号に従って制御する選択制御回路と、を含む、
請求項１３に記載のメモリモジュール。
【請求項１６】
前記光源のそれぞれが、異なる色の複数の発光部を備え、前記発光部のそれぞれが、前記制御ピンの対応する制御ピンを介して前記発光制御回路に連結される、請求項１１に記載のメモリモジュール。
【請求項１７】
前記光源のそれぞれが、赤色、緑色、及び青色の発光部を備える、請求項１１に記載のメモリモジュール。
【請求項１８】
前記光源が、前記挿入部とは反対の前記回路基板の別の側縁に配設される、請求項１１に記載のメモリモジュール。
【請求項１９】
前記メモリモジュールがＤＤＲメモリモジュールである、請求項１１に記載のメモリモジュール。
【発明の詳細な説明】
【技術分野】
【０００１】
本発明はメモリデバイスに係り、具体的には発光メモリデバイス及びメモリモジュールに関する。
【背景技術】
【０００２】
近年、コンピュータｅスポーツ市場が活況を呈している。良好なユーザ体験を提供するために、コンピュータメモリメーカーは、メモリのプリント回路基板に発光ダイオード（ＬＥＤ）を付加し、メモリケースの導光バーを通じて光を均一に拡散させることを可能にした結果、コンピュータメモリのＬＥＤの光は勾配効果をもたらしている。
【０００３】
しかしながら、発光ダイオードメモリモジュールは、メモリ自体が発した光を均一で穏やかなものにすることしかできない。市販のＬＥＤ付きのメモリモジュールは、発光領域におけるターンオン及びターンオフ変化の発光効果しかもたらさない。
【０００４】
また、３つ以上のＬＥＤメモリモジュールが一緒に使用される場合、マザーボードに取り付けられたメモリの発光変化は、同期された明暗変化のように同期するが、同じマザーボードに取り付けられた複数のメモリモジュールを非同期変化させることは不可能である。
【発明の概要】
【発明が解決しようとする課題】
【０００５】
したがって、本発明は、各メモリモジュール上の複数の光源に非同期発光効果を発揮させ得る発光メモリデバイス及びメモリモジュールに関する。
【課題を解決するための手段】
【０００６】
本発明のある実施形態において提供される発光メモリデバイスは、マザーボードと複数のメモリモジュールとを備える。マザーボードは、基本入出力システムモジュールと複数のインターフェイスカードスロットとを備える。インターフェイスカードスロットのそれぞれは、基本入出力システムモジュールに接続された複数の発光モード制御線を備える。メモリモジュールのそれぞれは、回路基板と、複数の発光モード制御ピンと、複数の光源と、発光制御回路とを備える。回路基板は、回路基板の一側縁に延在し、インターフェイスカードスロットに挿入されるように構成された挿入部を備える。発光モード制御ピンは、挿入部に配設され、対応する発光モード制御線にそれぞれ連結される。光源は回路基板上に配設される。発光制御回路は、回路基板上に配設され、発光モード制御ピンを介して少なくとも１つの発光モード選択信号を受け取って、光源の発光特性を発光モード選択信号により選択された発光制御モードに従って制御する。
【０００７】
本発明のある実施形態では、メモリモジュールのそれぞれの発光モード制御ピンは、ＳＡ０ピンと、ＳＡ１ピンと、ＳＡ２ピンとを含む。
【０００８】
本発明のある実施形態では、インターフェイスカードスロットのそれぞれはさらに、電力線と、クロック信号線と、データ信号線とを備え、クロック信号線及びデータ信号線は基本入出力システムモジュールに接続され、メモリモジュールのそれぞれはさらに、電力ピンと、クロックピンと、データピンと、電力変換回路とを備える。電力ピン、クロックピン、及びデータピンは、挿入部に配設され、それぞれ電力線、クロック信号線、及びデータ信号線に電気的に接続されるように構成される。電力変換回路は回路基板上に配設され、電力ピン及び電力線を介してインターフェイスカードスロットから入力電力を受け取り、入力電力を出力電力に変換する。発光制御回路は、電力変換回路から出力電力を受け取り、それぞれクロックピン及びデータピンを介してインターフェイスカードスロットからクロック信号及び制御コマンドを受け取り、発光制御回路はさらに、光源の発光特性を、クロック信号及び制御コマンドに対応して選択された発光制御モードに従って制御する。
【０００９】
本発明のある実施形態では、メモリモジュールのそれぞれにおいて、発光制御回路は、光源の光度、ターンオン、ターンオフ、フリッカー周波数、及び発光色のうちの少なくとも１つを、クロック信号、制御コマンド、及び発光モード選択信号に対応する発光制御モードに従って制御する。
【００１０】
本発明のある実施形態では、発光制御回路のそれぞれは、電力制御回路と選択制御回路とを含む。電力制御回路は、光源の光度、ターンオン、ターンオフ、及びフリッカー周波数を、クロック信号、制御コマンド、及び発光モード選択信号に従って制御する。選択制御回路は、光源の発光色を、クロック信号、制御コマンド、及び発光モード選択信号に従って制御する。
【００１１】
本発明のある実施形態では、メモリモジュールのそれぞれにおいて、光源のそれぞれは、異なる色の複数の発光部を備え、発光部のそれぞれは、制御ピンの対応する制御ピンを介して発光制御回路に連結される。
【００１２】
本発明のある実施形態では、メモリモジュールのそれぞれにおいて、光源のそれぞれは、赤色、緑色、及び青色の発光部を備える。
【００１３】
本発明のある実施形態では、メモリモジュールの発光制御モードは厳密には同じではない。
【００１４】
本発明のある実施形態では、メモリモジュールのそれぞれにおいて、光源は、挿入部とは反対の回路基板の別の側縁に配設される。
【００１５】
本発明のある実施形態では、メモリモジュールはＤＤＲメモリモジュールである。
【００１６】
本発明のある実施形態において提供されるメモリモジュールは、マザーボードのインターフェイスカードスロットに挿入されるように適合され、マザーボードは基本入出力システムモジュールを備え、インターフェイスカードスロットは、基本入出力システムモジュールに接続された複数の発光モード制御線を備え、メモリモジュールは、回路基板と、複数の発光モード制御ピンと、複数の光源と、発光制御回路とを備える。回路基板は、回路基板の一側縁に延在し、インターフェイスカードスロットに挿入されるように構成された挿入部を備える。発光モード制御ピンは、挿入部に配設され、対応する発光モード制御線にそれぞれ連結される。光源は回路基板上に配設される。発光制御回路は、回路基板上に配設され、発光モード制御ピンを介して少なくとも１つの発光モード選択信号を受け取って、光源の発光特性を、発光モード選択信号により選択された発光制御モードに従って制御する。
【００１７】
本発明のある実施形態では、メモリモジュールの発光モード制御ピンは、ＳＡ０ピンと、ＳＡ１ピンと、ＳＡ２ピンとを含む。
【００１８】
本発明のある実施形態では、インターフェイスカードスロットはさらに、電力線と、クロック信号線と、データ信号線とを備え、クロック信号線及びデータ信号線は基本入出力システムモジュールに接続され、メモリモジュールはさらに、電力ピンと、クロックピンと、データピンと、電力変換回路とを備える。電力ピン、クロックピン、及びデータピンは、挿入部に配設され、それぞれ電力線、クロック信号線、及びデータ信号線に電気的に接続されるように構成される。電力変換回路は、回路基板上に配設され、電力ピン及び電力線を介してインターフェイスカードスロットから入力電力を受け取り、入力電力を出力電力に変換する。発光制御回路は、電力変換回路から出力電力を受け取り、それぞれクロックピン及びデータピンを介してインターフェイスカードスロットからクロック信号及び制御コマンドを受け取り、発光制御回路はさらに、光源の発光特性をクロック信号及び制御コマンドに対応して選択された発光制御モードに従って制御する。
【００１９】
本発明のある実施形態では、発光制御回路は、光源の光度、ターンオン、ターンオフ、フリッカー周波数、及び発光色のうちの少なくとも１つを、クロック信号、制御コマンド、及び発光モード選択信号に対応する発光制御モードに従って制御する。
【００２０】
本発明のある実施形態では、発光制御回路は、電力制御回路と選択制御回路と含む。電力制御回路は、光源の光度、ターンオン、ターンオフ、及びフリッカー周波数を、クロック信号、制御コマンド、及び発光モード選択信号に従って制御する。選択制御回路は、光源の発光色を、クロック信号、制御コマンド、及び発光モード選択信号に従って制御する。
【００２１】
本発明のある実施形態では、光源のそれぞれは、異なる色の複数の発光部を備え、発光部のそれぞれは、制御ピンの対応する制御ピンを介して発光制御回路に連結される。
【００２２】
本発明のある実施形態では、光源のそれぞれは、赤色、緑色、及び青色の発光部を備える。
【００２３】
本発明のある実施形態では、光源は、挿入部とは反対の回路基板の別の側縁に配設される。
【００２４】
本発明のある実施形態では、メモリモジュールはＤＤＲメモリモジュールである。
【発明の効果】
【００２５】
上記に基づいて、本発明の１つ以上の実施形態において提供される発光制御回路は、発光モード制御ピンを介して少なくとも１つの発光モード選択信号を受け取り、光源の発光特性を、発光モード選択信号に対応する発光制御モードに従って制御することができ、その結果、メモリモジュールは非同期発光効果をもたらすことができる。
【００２６】
図面を添付したいくつかの例示的な実施形態を以下で詳細に説明して、本発明をさらに詳細に説明する。
【図面の簡単な説明】
【００２７】
添付図面は、本発明をさらに理解するために含められ、本明細書の一部を構成する。図面は本発明の実施形態を説明し、記述と共に本発明の原理を説明する働きをする。
【００２８】
【図１】本発明のある実施形態に係る発光メモリデバイスの模式図。
【図２Ａ】本発明のある実施形態に係る複数の光源が回路基板上にある構成の模式図。
【図２Ｂ】本発明のある実施形態に係る複数の光源が回路基板上にある構成の模式図。
【図３】本発明のある実施形態に係る発光制御回路駆動光源の模式図。
【図４】本発明のある実施形態に係る複数のメモリモジュールの発光の模式図。
【発明を実施するための形態】
【００２９】
図１は、本発明のある実施形態に係る発光メモリデバイスの模式図である。発光メモリデバイスは、複数のメモリモジュール１００とマザーボード２００とを備える。説明を簡単にするために、１つのメモリモジュール１００のみを図１に示す。マザーボード２００は、基本入出力システム（ＢＩＯＳ）モジュール２１０と、インターフェイスカードスロット２２０と、中央処理装置（ＣＰＵ）２３０と、マザーボード２００を構成する不可欠な電子回路要素（図示せず）とを備える。ＣＰＵ２３０及び不可欠な電子回路要素は、マザーボード２００の分野の技術常識であり、当業者によって従来技術に従って実施することができるため、その実施詳細について本明細書では説明しない。また、メモリモジュールは、例えばＤＤＲメモリモジュールであってよいが、これに限られない。メモリモジュール１００はインターフェイスカードスロット２２０を保護するためのダミーカードであってもよく、メモリカードの複雑な機能を有しない。
【００３０】
図１に示すように、インターフェイスカードスロット２２０は、少なくとも電力線２２２と、クロック信号線２２４と、データ信号線２２６と、接地線２２８と、複数の発光モード制御線Ｌ０〜Ｌ２とを備え、クロック信号線２２４、データ信号線２２６、及び発光モード制御線Ｌ０〜Ｌ２は、ＢＩＯＳモジュール２１０に接続されている。マザーボード２００は、電力線２２２を介して入力電力を出力し、クロック信号線２２４を介してクロック信号ＳＣＬを出力し、データ信号線２２６を介して制御コマンドＳＤＡを出力することができる。
【００３１】
また、メモリモジュール１００は、回路基板１１０と、電力ピン１２２と、クロックピン１２４と、データピン１２６と、接地ピン１２８と、複数の発光モード制御ピンＰ０〜Ｐ２と、複数の光源１３０と、電力変換回路１４０と、発光制御回路１５０とを備える。
【００３２】
図１に示すように、回路基板１１０は、回路基板１１０の一側縁に延在する挿入部１１２を備える。電力ピン１２２、クロックピン１２４、データピン１２６、接地ピン１２８、及び発光モード制御ピンＰ０〜Ｐ２は、それぞれ挿入部１１２に配設され、ピン同士の相対位置は、電力線２２２、クロック信号線２２４、データ信号線２２６、接地線２２８、及び発光モード制御線Ｌ０〜Ｌ２間の相対位置と対応する。挿入部１１２は、インターフェイスカードスロット２２０に挿入され、電力ピン１２２、クロックピン１２４、データピン１２６、接地ピン１２８、及び発光モード制御ピンＰ０〜Ｐ２を、これらと対応する電力線２２２、クロック信号線２２４、データ信号線２２６、接地線２２８、及び発光モード制御線Ｌ０〜Ｌ２と電気的に接続することができる。挿入部１１２は、回路基板１１０に延在して回路基板１１０と一体に形成される。特定の実施形態では、挿入部１１２は、ゴールドフィンガーとも呼ばれるエッジコネクタである。
【００３３】
図２Ａ及び図２Ｂは、本発明のある実施形態に係る複数の光源が回路基板上にある構成の模式図である。図２Ａは回路基板１１０の側面図であり、図２Ｂは回路基板１１０の上面図である。図２Ａ及び図２Ｂに示すように、光源１３０は、挿入部１１２と反対の回路基板１１０の別の側縁及び回路基板１１０の前後に配設することができる。光源１３０は、側縁に沿って一直線上に配置することができるが、これに限られず、他の実施形態では特定の装飾要件に従って配置することもできる。光源１３０のそれぞれは、異なる色（赤色、緑色、及び青色）の発光部（図示せず）を備えることができ、それぞれ異なる色の光を発することができる。光源１３０の具体的な実装形態は、例えば発光ダイオード（ＬＥＤ）、有機発光ダイオード（ＯＬＥＤ）、小さい電球、又はエレクトロルミネセンス素子であってよいが、これらに限られない。光源１３０は、例えば、図１の実施形態に示すような別の二次的カード１３２に配設することもできる。二次的カード１３２は回路基板１１０上に取外し可能に配設されるため、光源１３０を素早く交換することができる。
【００３４】
電力変換回路１４０が回路基板１１０上に配設され、電力ピン１２２に電気的に接続されて、電力ピン１２２及びインターフェイスカードスロット２２０の電力線２２２を介して入力電力を受け取り、入力電力を出力電力に変換する。電力変換回路１４０は一般に、ＤＣ−ＤＣ変換器であるが、ＡＣアダプタを除外しない。インターフェイスカードスロット２２０がＰＣＩ  Ｅｘｐｒｅｓｓスロット（ＰＣＩｅ  Ｓｌｏｔ）である場合、入力電力は、例えば３．３Ｖ又は１２Ｖの電圧を有する可能性がある。インターフェイスカードスロット２２０がＤＤＲ  ＳＤＲＡＭスロットである場合、入力電力は、例えば２．５Ｖの電圧を有する可能性がある。電圧が光源１３０の要件を満たさない可能性があるため、入力電力は、電圧が光源１３０の要件を満たす出力電力に電力変換回路１４０を介して変換する必要がある。
【００３５】
発光制御回路１５０が回路基板１１０上に配設され、電力変換回路１４０、光源１３０、クロックピン１２４、データピン１２６、接地ピン１２８、及び発光モード制御ピンＰ０〜Ｐ２に電気的に接続される。本実施形態では、インターフェイスカードスロット２２０は、ＤＤＲ  ＳＤＲＡＭスロットであり、発光モード制御ピンＰ０、Ｐ１、及びＰ２は、それぞれＳＡ０、ＳＡ１、及びＳＡ２ピンであるが、これに限られない。他の実施形態では、発光モード制御ピンＰ０、Ｐ１、及びＰ２は、他のピンであってもよい。また、発光モード制御ピンの数はこれに限られない。つまり、１つ以上の発光モード選択信号が存在する可能性がある。ＳＡ０ピン、ＳＡ１ピン、及びＳＡ２ピンが発光モード制御ピンＰ０、Ｐ１、及びＰ２として使用される場合、１つの利点は、ＳＡ０ピン、ＳＡ１ピン、及びＳＡ２ピンがＤＤＲ  ＳＤＲＡＭスロットにおける世界基準を有するピンであることであり、したがって、メモリモジュール１００が異なるマザーボードに使用される場合、メモリモジュール１００は、特に異なるマザーボード用にピンを定義する必要なく互換性が高い可能性がある。一部の実施形態では、複数の発光モードをファームウェア又はプラグインメモリによって発光制御回路１５０に組み込むことができ、発光制御回路１５０が光源１３０の発光を発光モードの設定に従って制御することが可能になる。
【００３６】
発光制御回路１５０は、電力変換回路１４０から出力電力を受け取り、インターフェイスカードスロット２２０からのクロック信号ＳＣＬ、制御コマンドＳＤＡ、及び発光モード選択信号ＳＡ０〜ＳＡ２に従って光源１３０を駆動することができる。例えば、発光制御回路は、光源１３０の光度、ターンオン、ターンオフ、フリッカー周波数、及び発光特性（フリッカー周波数及び発光色など）のうちの少なくとも１つを、クロック信号ＳＣＬ、制御コマンドＳＤＡ、及び発光モード選択信号ＳＡ０〜ＳＡ２に対応する発光制御モードに従って制御することができる。クロック信号ＳＣＬ、制御コマンドＳＤＡ、及び発光モード選択信号ＳＡ０〜ＳＡ２は、ＢＩＯＳモジュール２１０によって送信され、それぞれクロック信号線２２４、データ信号線２２６、及び発光モード制御線Ｌ０〜Ｌ２を介してメモリモジュール１００に出力される。発光モードの設定は、ＢＩＯＳモジュール２１０のファームウェアに、例えばプログラムコードの形式で記録することができる。ＢＩＯＳモジュール２１０は、設定をデータ信号線２２６、制御コマンドＳＤＡ、及び発光モード選択信号ＳＡ０〜ＳＡ２を介して発光制御回路１５０に送信するように、ＣＰＵ２３０によって制御することができる。
【００３７】
さらに、発光制御回路１５０は、図３に示すように、電力制御回路３０２と選択制御回路３０４とを備えることができる。電力制御回路３０２は、電力変換回路１４０に接続されて、出力電力を受け取り、光源１３０の光度、ターンオン、ターンオフ、及びフリッカー周波数を、クロック信号ＳＣＬ、制御コマンドＳＤＡ、及び発光モード選択信号ＳＡ０〜ＳＡ２に従って制御することができる。クロック信号ＳＣＬは、電力制御回路３０２が動作する時間を計算する基準として使用することができ、制御コマンドＳＤＡは、電力制御回路３０２に光源１３０のターンオン、ターンオフ時間、フリッカー周波数、及び光度を決定するよう指示することができる。例えば、図３では、電力制御回路３０２は、光源１３０−１〜１３０−５のターンオン、ターンオフ時間、フリッカー周波数、及び光度を、光源１３０−１〜１３０−５に供給された電力信号ＳＰ１〜ＳＰ５の電圧の大きさを調整することによって決定することができる。発光モード選択信号ＳＡ０〜ＳＡ２は、各メモリモジュール１００の電力制御回路３０２の発光モードを示すことができる。つまり、メモリモジュール１００は、発光モード選択信号ＳＡ０〜ＳＡ２によって異なる発光モードを有することができ、例えば、異なるメモリモジュール１００は、異なるフリッカー周波数と光度とを同時に有することができる、又はメモリモジュール１００の一部は、異なるフリッカー周波数と光度とを同時に有することができる。
【００３８】
同様に、選択制御回路３０４は、光源の発光色を、クロック信号ＳＣＬ、制御コマンドＳＤＡ、及び発光モード選択信号ＳＡ０〜ＳＡ２に従って制御することができる。クロック信号ＳＣＬは、選択制御回路３０４が動作する時間を計算する基準として使用することができ、制御コマンドＳＤＡは、選択制御回路３０４に光源１３０の発光色を決定するよう指示することができる。例えば、図３では、光源１３０は、赤色、緑色、及び青色など、異なる色の３つの発光部（図示せず）を備えることができ、発光部のそれぞれは、対応する制御ピンＳＲ、ＳＧ、及びＳＢを介して選択制御回路３０４に連結することができる。選択制御回路３０４は、制御ピンＳＲ、ＳＧ、又はＳＢを駆動することを選ぶことによって、光源１３０−１〜１３０−５の発光色を調整することができる。発光モード選択信号ＳＡ０〜ＳＡ２は、各メモリモジュール１００の選択制御回路３０４の発光モードを示すことができる。例えば、異なるメモリモジュール１００は同時に異なる色であってよい、又はメモリモジュール１００の一部は同時に異なる色であってよい。
【００３９】
例えば、図４には、本発明のある実施形態に係る複数のメモリモジュールの発光の模式図が示されている。図４の実施形態では、メモリモジュール４０２〜４０８が並んで配置されている。上記の実施形態で説明したように、クロック信号ＳＣＬ、制御コマンドＳＤＡ、及び発光モード選択信号ＳＡ０〜ＳＡ２の制御を介して、メモリモジュール４０２〜４０８は、異なる色の光を発することができ、また、異なる光度及び発光周波数を有する光を発することができる。一部の実施形態では、メモリモジュール４０２〜４０８上の光源１３０の発光特性を適切に調整することによって、メモリモジュール４０２〜４０８はさらに、特定のパターン又は他の動的表示効果を協調的に表示することができ、発光メモリデバイスがより多様な発光効果を発揮できるようになる。
【００４０】
要約すれば、本発明の１つ以上の実施形態において提供された発光制御回路は、発光モード制御ピンを介して少なくとも１つの発光モード選択信号を受け取り、光源の発光特性を発光モード選択信号に対応する発光制御モードに従って制御することができ、その結果、メモリモジュールが非同期発光効果をもたらすことができる。このようにして、メモリモジュールの発光特性を適切に調整することによって、メモリモジュールは、特定のパターンを協調的に表示すること、又は他の動的表示効果を発揮することができ、発光メモリデバイスはより多様な発光効果を達成することができる。
【００４１】
本発明の範囲又は趣旨を逸脱することなく、開示された実施形態に様々な修正や変形を行えることは当業者に明らかであろう。上記に鑑み、本発明は、修正及び変形が以下の特許請求の範囲及びそれらの均等物の範囲内にある限り、それらの修正及び変形を包含することが意図される。
【産業上の利用可能性】
【００４２】
本発明の発光メモリデバイス及びメモリモジュールは、ｅスポーツコンピュータに使用することができる。
【符号の説明】
【００４３】
１００：メモリモジュール
１１０：回路基板
１１２：挿入部
１２２：電力ピン
１２４：クロックピン
１２６：データピン
１２８：接地ピン
１３０：光源
１３２：二次的カード
１４０：電力変換回路
１５０：発光制御回路
２００：マザーボード
２１０：ＢＩＯＳモジュール
２２０：インターフェイスカードスロット
２３０：ＣＰＵ
２２２：電力線
２２４：クロック信号線
２２６：データ信号線
２２８：接地線
Ｌ０〜Ｌ２：発光モード制御線
ＳＣＬ：クロック信号
ＳＤＡ：制御コマンド
ＳＡ０〜ＳＡ２：発光モード選択信号
Ｐ０〜Ｐ２：発光モード制御ピン
【図１】
2020194960.tif 000003
【図２Ａ】
2020194960.tif 000004
【図２Ｂ】
2020194960.tif 000005
【図３】
2020194960.tif 000006
【図４】
2020194960.tif 000007
【外国語明細書】
2020194960000001.pdf